(57)【要約】      （修正有）【課題】加湿器に使用される水蒸気交換膜において、乾燥ガスの加湿不足を改善する水蒸気交換膜を提供する。【解決手段】湿潤ガスと乾燥ガスとの間で水蒸気交換を行う加湿器１に使用される水蒸気交換膜１０であって、前記水蒸気交換膜の内部に前記水蒸気交換膜より吸水性の高い吸水性材料１６を分散させたものである。水蒸気交換膜１０内には吸水性材料１６が分散されているため、湿潤ガス中の水分は効率的に水蒸気交換膜１０内に吸水され、蓄えられる。一方、入り口から乾燥ガス通路１４に入った乾燥ガスが、水蒸気交換膜１０のもう一方の面（乾燥ガス通路１４側）に接触することによって、水蒸気交換膜１０内に蓄えられている水分が乾燥ガスに供給される。湿潤ガスが燃料電池オフガスであり、前記乾燥ガスが燃料電池供給ガスである。【選択図】図１
2007257891.tif 000002
【特許請求の範囲】
【請求項１】
湿潤ガスと乾燥ガスとの間で水蒸気交換を行う加湿器に使用される水蒸気交換膜であって、
前記水蒸気交換膜の内部に前記水蒸気交換膜より吸水性の高い吸水性材料を分散させたものであることを特徴とする水蒸気交換膜。
【請求項２】
請求項１記載の水蒸気交換膜であって、前記湿潤ガスが燃料電池オフガスであり、前記乾燥ガスが燃料電池供給ガスであることを特徴とする水蒸気交換膜。
【請求項３】
湿潤ガスを通過させる湿潤ガス通路と乾燥ガスを通過させる乾燥ガス通路と前記湿潤ガス通路を通る前記湿潤ガスから水分を吸水し前記乾燥ガス通路を通る前記乾燥ガスに前記水分を供給する水蒸気交換膜とを有する加湿器であって、
前記水蒸気交換膜の内部に前記水蒸気交換膜より吸水性の高い吸水性材料を分散させた水蒸気交換膜を有することを特徴とする加湿器。
【請求項４】
燃料電池供給ガスを供給することによって発電し燃料電池オフガスを排出する燃料電池スタックと、前記燃料電池オフガスを通過させる湿潤ガス通路と前記燃料電池供給ガスを通過させる乾燥ガス通路と前記湿潤ガス通路を通る前記燃料電池オフガスから水分を吸水し前記乾燥ガス通路を通る前記燃料電池供給ガスに前記水分を供給する水蒸気交換膜を有する加湿器とを有する燃料電池システムであって、
前記水蒸気交換膜の内部に前記水蒸気交換膜より吸水性の高い吸水性材料を分散させた水蒸気交換膜を有することを特徴とする燃料電池システム。
【発明の詳細な説明】
【技術分野】
【０００１】
本発明は水蒸気交換膜、ならびにそれを使用した加湿器及び燃料電池システムに関する。
【背景技術】
【０００２】
加湿器は、加熱方式、超音波方式、気化方式、バブラ方式、水蒸気交換方式等種々の方式がある。そのうち水蒸気交換方式による加湿器は、湿潤ガスに含有している水分を微細孔を有する高分子膜である水蒸気交換膜により吸水し乾燥ガスに水分を供給するものであり、例えば燃料電池内の湿度を確保するための加湿器として実用化されている。
【０００３】
一般的に、燃料電池は、電解質膜、燃料極（アノード極）、空気極（カソード極）及び外部回路を有し、燃料電池の発電時には、燃料極に供給する燃料ガスを水素ガス、空気極に供給する酸化性ガスを空気とした場合、燃料極側では、水素イオンと電子とにする反応が行われ、水素イオンは電解質膜中を空気極側に移動し、電子は外部回路を通じて空気極に到達し、空気極側では、水素イオン、電子及び酸素が反応して水を生成する反応が行われ、エネルギを放出する。
【０００４】
燃料電池は、イオン伝導性を維持するために、電解質膜を適度に加湿しておく必要がある。従って、乾燥ガスとしての燃料電池供給ガス（燃料ガス、酸化性ガスの少なくともどちらか一方を意味する。）を加湿するために加湿器が設けられている。水蒸気交換方式の加湿器による燃料電池供給ガスへの加湿は、例えば燃料電池の発電反応によって生成した水分を含有する湿潤ガスとしての燃料電池オフガス（燃料電池反応によって排出される燃料オフガス、酸化性オフガスの少なくともどちらか一方を意味する。）から水蒸気交換膜によって吸水された水分を乾燥ガスとしての燃料電池供給ガスに供給することにより行われる。
【０００５】
しかし燃料電池の低負荷発電から高負荷発電への過渡期において、従来の水蒸気交換方式による加湿器（以下加湿器）に使用されている水蒸気交換膜では、その水蒸気交換膜の吸水性能が低く燃料電池オフガスからの吸水量を充分に確保することができず、燃料電池供給ガスの供給量の増加に対する加湿器による燃料電池供給ガスの加湿不足により、電解質膜が乾燥され、電解質膜のイオン伝導性を維持できずに発電性能が低下する問題がある。
【０００６】
一方、特許文献１には、加湿器に用いられる水蒸気交換膜の表面に保水層を設けることにより、水分を含有した酸化性オフガス中の水分を効率よく水蒸気交換膜内に取り込み、酸化性ガスを加湿する加湿器が提案されている。
【０００７】
【特許文献１】特開２００４−５５５２６号公報
【発明の開示】
【発明が解決しようとする課題】
【０００８】
しかし、特許文献１では、燃料電池の低負荷発電から高負荷発電への過渡期において、水蒸気交換膜の表面が保水層で覆われているため、かえって水蒸気交換膜内部の水分の移動を阻害してしまい、酸化性ガスの加湿が十分に行われないという問題がある。
【０００９】
本発明は、加湿器に使用される水蒸気交換膜において、乾燥ガスの加湿不足を改善する水蒸気交換膜、ならびにそれを使用した加湿器及び燃料電池システムを提供する。
【課題を解決するための手段】
【００１０】
本発明は、湿潤ガスと乾燥ガスとの間で水蒸気交換を行う加湿器に使用される水蒸気交換膜であって、前記水蒸気交換膜の内部に前記水蒸気交換膜より吸水性の高い吸水性材料を分散させたものである。
【００１１】
また、前記湿潤ガスが燃料電池オフガスであり、前記乾燥ガスが燃料電池供給ガスであることが好ましい。
【００１２】
また、本発明は、湿潤ガスを通過させる湿潤ガス通路と乾燥ガスを通過させる乾燥ガス通路と前記湿潤ガス通路を通る前記湿潤ガスから水分を吸水し前記乾燥ガス通路を通る前記乾燥ガスに前記水分を供給する水蒸気交換膜とを有する加湿器であって、前記水蒸気交換膜の内部に前記水蒸気交換膜より吸水性の高い吸水性材料を分散させた水蒸気交換膜を有する。
【００１３】
燃料電池供給ガスを供給することによって発電し燃料電池オフガスを排出する燃料電池スタックと、前記燃料電池オフガスを通過させる湿潤ガス通路と前記燃料電池供給ガスを通過させる乾燥ガス通路と前記湿潤ガス通路を通る前記燃料電池オフガスから水分を吸水し前記乾燥ガス通路を通る前記燃料電池供給ガスに前記水分を供給する水蒸気交換膜を有する加湿器とを有する燃料電池システムであって、前記水蒸気交換膜の内部に前記水蒸気交換膜より吸水性の高い吸水性材料を分散させた水蒸気交換膜を有する。
【発明の効果】
【００１４】
本発明に係る水蒸気交換膜では、水蒸気交換膜の内部に吸水性材料を分散させることにより、乾燥ガスの加湿不足を改善することができる。
【００１５】
本発明に係る加湿器では、水蒸気交換膜の内部に吸水性材料を分散させた水蒸気交換膜を有することにより、乾燥ガスの加湿不足を改善することができる。
【００１６】
本発明に係る燃料電池システムでは、水蒸気交換膜内に吸水性材料を分散させた水蒸気交換膜を有することにより、乾燥ガスとしての燃料電池供給ガスの加湿不足を改善することができる。
【発明を実施するための最良の形態】
【００１７】
本発明の実施の形態について以下説明する。
【００１８】
図１は、本発明の実施形態に係る水蒸気交換膜を有する加湿器の一例を示す概略断面図である。加湿器１は、水蒸気交換膜１０と、水蒸気交換膜１０の一方の面を湿潤ガスが通過するための湿潤ガス通路１２と、水蒸気交換膜１０のもう一方の面を乾燥ガスが通過するための乾燥ガス通路１４と、外枠材１８とを備えている。湿潤ガス通路１２と乾燥ガス通路１４は、外枠材１８に溝を形成することによって、確保されている。図１に示した外枠材１８に形成された溝は、櫛形状であるがこれに限定されるものではなく、湿潤ガス通路１２及び乾燥ガス通路１４の通路が確保されるものであればよい。また水蒸気交換膜１０は、水蒸気交換膜１０内に吸水性材料１６を含む。ここで湿潤ガスとは、乾燥ガスよりも水蒸気を多く含むガスである。
【００１９】
図１により、本発明の実施形態に係る水蒸気交換膜１０を有する加湿器１の水蒸気交換の機能について説明する。入口から湿潤ガス通路１２に入った湿潤ガスが、水蒸気交換膜１０の一方の面（湿潤ガス通路１２側）に接触し、湿潤ガス中の水分が水蒸気交換膜１０内に吸水される。水蒸気交換膜１０内には吸水性材料１６が分散されているため、湿潤ガス中の水分は効率的に水蒸気交換膜１０内に吸水され、蓄えられる。一方、入り口から乾燥ガス通路１４に入った乾燥ガスが、水蒸気交換膜１０のもう一方の面（乾燥ガス通路１４側）に接触することによって、水蒸気交換膜１０内に蓄えられている水分が乾燥ガスに供給される。水分が乾燥ガスに供給されることによって、乾燥ガス通路１４側の水蒸気交換膜１０内の水分濃度が減少し濃度勾配が生じるため、図１破線矢印で示した方向に水蒸気交換膜１０内の水分が移動し、湿潤ガスと乾燥ガスとの間で継続して水蒸気交換が行われる。
【００２０】
水蒸気交換膜１０は、膜の一方の面からもう一方の面にかけて水蒸気を透過することができるものであれば特に制限されるものではないが、耐熱性、耐強度性、耐薬品性及び吸水性材料１６を水蒸気交換膜１０内に分散し易いものが好ましい。例えば、ポリエチレン、ポリプロピレン等のポリオレフィン樹脂の多孔質体と、ポリカーボネート、ポリスチレン、ポリ塩化ビニル、ポリエンカビニリデン、ポリエステル等の多孔質体と、ポリテトラフルオロエチレン、テトラフルオロエチレン−ヘキサフルオロプロピレン共重合体と、ポリフッ化ビニル、ポリフッ化ビニリデン等のフッ素樹脂の多孔質体と、フッ素系スルホン酸高分子イオン交換膜、例えばジャパンゴアテックス（株）のゴアセレクト（Ｇｏｒｅｓｅｌｅｃｔ、登録商標）、デュポン社（Ｄｕ  Ｐｏｎｔ社）のナフィオン（Ｎａｆｉｏｎ、登録商標）と、多孔質中空糸膜等とが使用できる。
【００２１】
水蒸気交換膜１０の微細孔の平均孔径は、吸水性材料１６を保持することができるものであれば特に制限されるものではない。平均孔径が小さいと、吸水性材料１６の分散が困難となり、平均孔径が大きいと吸水性材料１６の保持が困難となる場合がある。また平均空孔率が小さいと透湿度の低下により、水蒸気交換膜１０内の水分移動効率が低下し、平均空孔率が大きいと水蒸気交換膜１０の強度が低下する場合がある。さらに膜厚が薄いと水蒸気交換膜１０の強度が低下し、厚いと透湿度の低下により、水蒸気交換膜１０内の水分移動率が低下する場合がある。
【００２２】
本発明に用いる吸水性材料１６は、水蒸気交換膜１０より吸水性の高いものであれば特に制限されるものではない。吸水性材料１６として、具体的にはポリアクリル酸ナトリウム架橋体、アクリル酸メチル−酢酸ビニル共重合ケン化物、デンプン−アクリル酸グラフト重合体、デンプン−アクリロニトリルグラフト重合体のいずれか一つまたはこれら複数の混合物であることが好ましい。
【００２３】
外枠材１８は、湿潤ガス及び乾燥ガスに対して不透過性を有するものであり、湿潤ガス通路１２及び乾燥ガス通路１４の通路を確保するものであれば特に制限されるものではなく、例えば、金属板、ラミネートフィルム、樹脂等が挙げられる。
【００２４】
加湿器１は、水蒸気交換膜１０と外枠材１８を一体形成されているものが好ましい。また加湿器１を１セルとし、複数層積層したものであってもよい。
【００２５】
水蒸気交換膜１０より吸水性の高い吸水性材料１６を水蒸気交換膜１０内に分散させることにより、湿潤ガス中の水分を効率よく水蒸気交換膜１０内に取り込み、乾燥ガスに水分を供給し、安定した水蒸気交換を行うことを可能とする。このような機能を持つ本実施形態に係る水蒸気交換膜１０を有する加湿器１は、乾燥ガスの流量が急激に増加した場合でも、安定な水蒸気交換が要求される装置にも使用することが可能である。例えば上記で述べたように燃料電池に使用される電解質膜のイオン伝導性を維持するために、燃料電池供給ガスを適度に加湿しておく必要があるが、燃料電池の低出力から高出力発電への過渡期には、燃料電池に供給される燃料電池供給ガス量が増大し、従来の加湿器では反応ガスの加湿不足が生じやすく、電解質膜の乾燥による発電反応の低下を引き起こす問題がある。しかし本発明の実施形態に係る水蒸気交換膜１０を有する加湿器１を燃料電池に備えることにより、燃料電池の低出力から高出力発電への過渡期に生じる、燃料電池供給ガスの加湿不足を改善することができる。
【００２６】
図２に、本発明の実施形態に係る水蒸気交換膜を有する加湿器を備えた燃料電池システムの一例の概略を示し、以下説明する。
【００２７】
本発明の実施形態に係る水蒸気交換膜を有する加湿器を備えた燃料電池システム３は、燃料電池スタック２０と、高圧ガスタンク２２（高圧水素タンク）と、エアブロワ２８と、加湿器２ａ，２ｂと配管類とを有する。
【００２８】
燃料電池スタック２０は、燃料電池セルを１個又は複数個、例えば１００個積層して形成される。燃料電池セルは、固体高分子電解質膜と、それを挟持する空気極（カソード極）と燃料極（アノード極）と各電極の外側に配置されたセパレータとを有する固体高分子型燃料電池である。
【００２９】
図２に示すように、配管類は燃料電池スタック２０のアノード極側では、高圧ガスタンク２２の出口と加湿器２ａのガス供給口（図示せず）とを接続する燃料ガス供給路２４ａと、加湿器２ａのガス排出口（図示せず）と燃料電池スタック２０の燃料ガス入口とを接続する燃料ガス供給路２４ｂと、燃料電池スタック２０の燃料ガス出口と加湿器２ａのオフガス供給口（図示せず）とを接続する燃料ガス排出路２６ａと、加湿器２ａのオフガス排出口（図示せず）から燃料電池システム３外に排出される燃料ガス排出路２６ｂと、を有する。一方、燃料電池スタック２０のカソード極側では、エアブロワ２８の吐出側と加湿器２ｂのガス供給口（図示せず）を接続する酸化性ガス供給路３０ａと、加湿器２ｂのガス排出口（図示せず）と燃料電池スタック２０の酸化性ガス入口とを接続する酸化性ガス供給路３０ｂと、燃料電池スタック２０の酸化性ガス出口と加湿器２ｂのオフガス供給口（図示せず）とを接続する酸化性ガス排出路３２ａと、加湿器２ｂのオフガス排出口（図示せず）から燃料電池システム３外に排出される酸化性ガス排出路３２ｂと、を有する。
【００３０】
次に、図２により燃料電池スタック２０の発電時における燃料電池供給ガスの流れを説明する。燃料ガスは、高圧ガスタンク２２から供給される燃料ガスが燃料ガス供給路２４ａを通り、ガス供給口から加湿器２ａに導入され、加湿器２ａによって加湿された燃料ガス（加湿方法については後述する）がガス排出口から排出され、燃料ガス供給路２４ｂを通り燃料ガス入口から燃料電池スタック２０に供給され燃料電池スタック２０の発電に利用される。発電に利用された燃料ガスの残留分は、燃料オフガスとして燃料ガス出口から排出され、燃料ガス排出路２６ａを通り、オフガス供給口から加湿器２ａに導入される。加湿器２ａに導入された燃料オフガス中の水分は燃料ガスに供給され、燃料オフガスはオフガス排出口から燃料ガス排出路２６ｂを通り燃料電池システム３外に排出される。一方、酸化性ガスは、エアブロワ２８から供給される酸化性ガスが酸化性ガス供給路３０ａを通り、ガス供給口から加湿器２ｂに導入され、加湿器２ｂによって加湿された酸化性ガス（加湿方法については後述する）がガス排出口から排出され、酸化性ガス供給路３０ｂを通り酸化性ガス入口から燃料電池スタック２０に供給され燃料電池スタック２０の発電に利用される。発電に利用された酸化性ガスの残留分は、酸化性オフガスとして酸化性ガス出口から排出され、酸化性ガス排出路３２ａを通り、オフガス供給口から加湿器２ｂに導入される。加湿器２ｂに導入された酸化性オフガス中の水分は酸化性ガスに供給され、酸化性オフガスはオフガス排出口から酸化性排ガス路３２ｂを通り燃料電池システム３外に排出される。
【００３１】
本実施形態に係る水蒸気交換膜を有する加湿器２ａ，２ｂを備える燃料電池システム３はこれに限定されるものではなく、例えば燃料オフガスは、循環経路を備えることにより再び燃料ガスとして利用されるものであっても良い。また、例えば酸化性オフガスは、酸化性ガス排出路３２ｂを通り、燃料電池システム３外に排出されるのが好ましいが、酸化性ガス排出路３２ｂを通る酸化性オフガスがエアブロワ２８に供給されるものであっても良い。さらに、加湿器２ａ，２ｂを必ずしも両方備える必要はなく、どちらか一方であってもよい。
【００３２】
図３に燃料電池システム３に使用される加湿器２ａ，２ｂの一例を示す。
【００３３】
加湿器２ａ，２ｂは、図１に示した加湿器１と同様の構造を有するものであり、水蒸気交換膜３４と、水蒸気交換膜３４の一方の面を燃料電池オフガスが通過する湿潤ガス通路３６と、水蒸気交換膜３４のもう一方の面を燃料電池供給ガスが通過する乾燥ガス通路３８と、外枠材４２と、を備えている。湿潤ガス通路３６と乾燥ガス通路３８の通路は、外枠材４２に溝を形成することによって、確保されている。図３に示した外枠材４２に形成された溝は、櫛形状であるがこれに限定されるものではなく、湿潤ガス通路３６及び乾燥ガス通路３８の通路が確保されるものであればよい。また水蒸気交換膜３４は、水蒸気交換膜３４内に吸水性材料４０を有する。なお燃料電池供給ガスとは、燃料ガス、酸化性ガスの少なくともどちらか一方を意味し、また燃料電池オフガスとは、燃料オフガス、酸化性オフガスの少なくともどちらか一方を意味する。
【００３４】
燃料電池スタック２０において発電反応により水が生成されるため、燃料ガス排出路２６ａ及び酸化性ガス排出路３２ａを通る燃料電池オフガスは、オフガス供給口から水分を含んだ状態で加湿器２ａ，２ｂの湿潤ガス通路３６に導入される。導入された燃料電池オフガスは、加湿器２ａ，２ｂの内部に備えられた水蒸気交換膜３４面（湿潤ガス通路３６側）に接触し、水蒸気交換膜３４により燃料電池オフガス中の水分が吸水され、燃料電池オフガスはオフガス排出口から燃料ガス排出路２６ｂ及び酸化性ガス排出路３２ｂに排出される。水蒸気交換膜３４内に吸水性材料４０が分散されているため、燃料電池オフガス中の水分は効率的に水蒸気交換膜３４内に吸水され、蓄えられる。一方、燃料ガス供給路２４ａ及び酸化性ガス供給路３０ａを通る燃料電池供給ガスは、加湿器２ａ，２ｂの乾燥ガス通路３８に導入される。導入された燃料電池供給ガスは、ガス供給口から加湿器２ａ，２ｂの内部に備えられた水蒸気交換膜３４の面（乾燥ガス通路３８側）に接触し、水蒸気交換膜３４内に蓄えられた水分によって加湿され、加湿された燃料電池供給ガスはガス排出口から燃料ガス供給路２４ｂ及び酸化性ガス供給路３０ｂに排出される。このように加湿された燃料電池供給ガスは、燃料電池スタック２０に供給され、電解質膜を加湿することによって、電解質膜のイオン伝導性が維持される。
【００３５】
水蒸気交換膜３４は、膜の一方の面からもう一方の面にかけて水蒸気を透過することができるものであれば特に制限されるものではなく、上記水蒸気交換膜１０と同様のものでよい。
【００３６】
水蒸気交換膜３４の微細孔の平均孔径は、吸水性材料４０を保持することができれば特に制限されるものではなく、上記水蒸気交換膜１０の微細孔の平均孔径と同様とするものでよいが、平均孔径が小さいと、吸水性材料４０の分散が困難となり、平均孔径が大きいと吸水性材料４０の保持が困難となる場合がある。また平均空孔率においても、上記水蒸気交換膜１０の平均空孔率と同様とするものでよいが、平均空孔率が小さいと透湿度の低下により、水蒸気交換膜１０内の水分の移動が低下する場合があり、燃料電池スタック２０の低出力から高出力発電への過渡期で、燃料電池供給ガスに安定して水分を供給することが困難となる場合がある。また、平均空孔率が大きいと水蒸気交換膜３４の強度の低下により、水蒸気交換膜３４の破壊が起こると、加湿器２ａ，２ｂの機能が低下するばかりでなく、燃料電池スタック２０の発電性能にも支障をきたす場合がる。さらに膜厚についても、上記水蒸気交換膜１０の膜厚と同様とするものでよいが、特に燃料電池システム３に使用される場合、膜厚が薄いと水蒸気交換膜３４の強度の低下により、上記と同様の問題を引き起こし、膜厚が厚いと透湿度の低下により、上記と同様の問題を引き起こす場合がある。
【００３７】
吸水性材料４０は、水蒸気交換膜３４より吸水性の高いものであれば特に制限されるものではなく、上記吸水性材料１６と同様とするものでよいが、特に燃料電池システム３に使用される場合、燃料電池スタック２０の低出力発電から高出力発電への過渡期でも、燃料電池供給ガスに安定して水分を供給することが必要とされる。吸水性材料４０の粒径は、上記吸水性材料１６と同様とするものでよい。また吸水性材料４０の含有量が小さいと、燃料電池オフガスから効率的な吸水が行われず、含有率が大きいと水蒸気交換膜３４間の水分の移動を阻害するため、燃料電池スタック２０の低出力から高出力発電への過渡期では、安定して燃料電池供給ガスに水分を供給することが出来ない。
【００３８】
外枠材４２は、燃料電池供給ガス及び燃料電池オフガスに対して不透過性を有するものであり、湿潤ガス通路３６及び乾燥ガス通路３８を確保するものであれば特に制限されるものでなく、例えば、金属板、ラミネートフィルム、樹脂等が挙げられる。
【００３９】
加湿器２ａ，２ｂは、水蒸気交換膜３４と外枠材４２を一体化させ、形成されるものが好ましい。また加湿器２ａ，２ｂを１セルとし、複数セル積層したものであってもよい。
【００４０】
以上のように、本発明の実施形態に係る水蒸気交換膜を有する加湿器は、水蒸気交換膜内に吸水性材料を分散させた水蒸気交換膜を有することにより、湿潤ガス中の水分は効率的に水蒸気交換膜内に吸水され、蓄えられ、安定した水蒸気交換を行うことを可能とする。特に燃料電池システムに使用された場合において、燃料電池の低出力から高出力発電への過渡期でも、安定した水蒸気交換を行うことができるため、燃料電池供給ガスの加湿不足を防ぎ、電解質膜の乾燥による燃料電池の発電反応の低下を防止することができる。
【００４１】
また、上記これらの実施形態に係る水蒸気交換膜を有する加湿器は、例えば、携帯電話、携帯用パソコン等のモバイル機器用小型電源、自動車用電源、家庭用電源等として使用されている燃料電池用の加湿器として用いることができる。
【図面の簡単な説明】
【００４２】
【図１】本発明の実施形態に係る水蒸気交換膜を有する加湿器の一例を示す概略図である。
【図２】本発明の実施形態に係る水蒸気交換膜を有する加湿器を備えた燃料電池システムの構成の一例を示す概略図である。
【図３】燃料電池システム３に使用される加湿器２ａ，２ｂの一例を示す。
【符号の説明】
【００４３】
１，２ａ，２ｂ  加湿器、３  燃料電池システム、１０，３４  水蒸気交換膜、１２，３６  湿潤ガス通路、１４，３８  乾燥ガス通路、１６，４０  吸水性材料、１８，４２  外枠材、２０  燃料電池スタック、２２  高圧ガスタンク（高圧水素タンク）、２４ａ，２４ｂ  燃料ガス供給路、２６ａ，２６ｂ  燃料ガス排出路、２８  エアブロワ、３０ａ，３０ｂ  酸化性ガス供給路、３２ａ，３２ｂ  酸化性ガス排出路。
【図１】
2007257891.tif 000003
【図２】
2007257891.tif 000004
【図３】
2007257891.tif 000005